(57)【要約】      （修正有）【課題】発光モジュール及びそれを備えた光源ユニットを提供する。【解決手段】発光モジュールは、フルセットのＬＥＤランプで、独立して移動可能な獨立したＬＥＤランプセットを備えてなり、当該ＬＥＤランプセットは、多種の異なるＬＥＤランプの配置を有するＬＥＤ表示光源と、当該ＬＥＤ表示光源の表示形式を制御するのに用いられ、無線遠隔制御ユニットを備えてなり、外部から携帯電話による遠隔制御で動作を行なわせるための制御ユニットと、発光モジュールは、多種の異なる応用ユニット３０を組み合わせることが可能で、応用ユニット内から簡単に取り出し又はそこに組み入れ可能な独立した形態に設けられた発光モジュールであり、応用ユニットは少なくとも一つの導光部３３と、少なくとも一つの透明又は半透明エリア３２とを備えてなり、発光モジュールから発した光を外部へ誘導するように設けられる。【選択図】図１
0003226374.tif 000002
【実用新案登録請求の範囲】
【請求項１】
多種の異なる応用ユニットを組み合わせることが可能で、前記応用ユニット内から簡単に取り出し又はそこに組み入れ可能な独立した形態に設けられた発光モジュールであり、前記応用ユニットは、少なくともの一つの導光部と、少なくともの一つの透明又は半透明エリアとを備えてなり、前記発光モジュールから発した光を外部へ誘導するように設けられ、前記発光モジュールは、
フルセットのＬＥＤランプで、独立して移動可能な独立したＬＥＤランプセットを備えてなり、前記ＬＥＤランプセットは、
多種の異なるＬＥＤランプの配置を有するＬＥＤ表示光源と、
前記ＬＥＤ表示光源の表示形式を制御するのに用いられ、無線遠隔制御ユニットを備えてなり、外部から携帯電話による遠隔制御で動作を行なわせるための制御ユニットと、
前記ＬＥＤランプセットの動作に必要な電力を供給し、無線充電による持続的充電が行なわれるための充電式電池と、
前記ＬＥＤランプセットの開閉に用いられるスイッチとを備えてなり、
前記発光モジュールは更に、ランプ制御ＡＰＰを備えてなり、前記ランプ制御ＡＰＰを携帯電話にインストールすれば、前記ＬＥＤランプセットを無線で遠隔制御し、ＬＥＤランプセットの点灯形式、明るさ、頻度、色又は彩度の何れかの一つを制御することができることを特徴とする発光モジュール。
【請求項２】
前記無線遠隔制御ユニットは、携帯電話と通信するためのブルートゥース（登録商標）送受信機であることを特徴とする請求項１に記載の発光モジュール。
【請求項３】
前記充電式電池は、フレキシブル型リチウムセラミック充電池であることを特徴とする請求項１に記載の発光モジュール。  
【請求項４】
フルセットのＬＥＤランプで、独立して移動可能な独立したＬＥＤランプセットを備えてなり、前記ＬＥＤランプセットは、多種の異なるＬＥＤランプの配置を有するＬＥＤ表示光源と、前記ＬＥＤ表示光源の表示形式を制御するのに用いられ、無線遠隔制御ユニットを備えてなり、外部から携帯電話による制御で動作を行なわせるための制御ユニットと、前記ＬＥＤランプセットの動作に必要な電力を供給するための充電式電池と、前記ＬＥＤランプセットの開閉に用いられるスイッチとを備えてなり、
収納ユニットを備えてなる応用ユニットが備わり、前記収納ユニットは前記ＬＥＤランプセットを前記応用ユニット内に収められ、固定されるのに設けられ、前記応用ユニットは更に、少なくともの一つの透明又は半透明エリアと、少なくともの一つの導光部とを備えてなり、前記ＬＥＤランプセットから発した光を外部へ誘導するように設けられ、前記透明又は半透明エリアは、前記応用ユニットの本体であり、前記導光部は、前記収納ユニットと前記透明又は半透明エリアとの間をつなげるように設けられ、光線を収納ユニットから透明又は半透明エリアへ誘導させるための前誘導体であり、前記ＬＥＤランプセットが発光すると、光線が前記導光部に入射され、更に前記透明又は半透明エリアを通って、外部へ誘導されるように設けられるが、
前記ＬＥＤランプセットは多種の異なる応用ユニットを組合せることができ、前記応用ユニットの収納ユニット内から簡単に取り出し又はそこから組み入れ可能な独立した形態で用いられることを特徴とする発光モジュールを備えた光源ユニット。
【請求項５】
前記応用ユニットは靴の靴底であり、前記靴底内には切込み部が設けられ、前記切込み部は、前記ＬＥＤランプセットを収めるために、前記収納ユニットとして前記靴底の片側に設けられ、前記導光部は切込み部周囲の入射面で、前記透明又は半透明エリアは透光の靴底本体であり、当該靴底本体の周囲又は外縁部は明るく集光する放射面に設けられることを特徴とする請求項４に記載の発光モジュールを備えた光源ユニット。
【請求項６】
前記応用ユニットは靴の靴底であり、切込み部を備えてなり、前記切込み部は、前記ＬＥＤランプセットを収めるために、前記収納ユニットとして前記靴底の片側に設けられ、前記導光部は切込み部周囲の入射面であり、前記透明又は半透明エリアは透光の前記靴底本体であり、靴底本体の周囲又は外縁部は明るく集光する放射面に設けられることを特徴とする請求項４に記載の発光モジュールを備えた光源ユニット。
【考案の詳細な説明】
【技術分野】
【０００１】
本考案は発光モジュールに関わり、特に発光モジュール及びそれを備えた光源ユニットに関する。
【背景技術】
【０００２】
ＬＥＤは広く使用されるようになってから、現在でも多くのユニットにＬＥＤを付けて、例えば発光靴や発光帽子など、装飾を出すように設けられる。靴や帽子にＬＥＤが付けられた場合、ＬＥＤが発光すると、ＬＥＤ付きのユニットが鮮やかなに見え、ユーザ又はそれを見た人でも楽しい気持ちになると思われる。  
【０００３】
発光装置にあるＬＥＤは通常固定されたもので、取り外し又は取付位置の変更ができないものであり、例えば、発光靴にあるＬＥＤは、決まった位置に取り付けられるのみで、該ＬＥＤを取外して、他の位置に取り付けることができないことで、該ＬＥＤは取り付けられた靴に発光効果を持たすのみで、他の靴への取り付けに変更して、発光効果を出すことができないのである。  
【０００４】
例えば、夜７時にジョギングシューズを履いてジョギングしていたが、夜９時になり、ビーチサンダルを履いて散歩しようとするが、発光装置はジョギングシューズ内に取り付け固定され、ビーチサンダルへの取り付けに変えることができないことで、ＬＥＤの使用が制限されて、ユーザを困らせることになる。  
【０００５】
それに、既有発光靴では、複数ＬＥＤとプリント基板との間をワイヤで接続するように設けられ、前記ワイヤは、内外部などの要因による断線又は接触不良が発生しやすいこと、その上、充電用コネクタ、電源開閉用スイッチ、発光モード切替用ボタンなど備える必要があり、そこで、充電の時に外付けケーブルが必要となり、電源開閉の時に腰を曲げてスイッチを押すこと、発光モード切替の時にまた腰を曲げてボタンを押さなければならないことで、使用上の不便になる。  
【考案の概要】
【考案が解決しようとする課題】
【０００６】
本考案は、上述した既存の問題点を解決するため、発光モジュール及びそれを備えた光源ユニットを提供することを目的とする。
【課題を解決するための手段】
【０００７】
前記問題点を解決でき、上記目的を達成するために、本考案の発光モジュールは、多種の異なる応用ユニットを組み合わせることが可能で、前記応用ユニット内から簡単に取り出し又はそこに組み入れ可能な独立した形態に設けられた発光モジュールであり、前記応用ユニットは、少なくともの一つの導光部と、少なくともの一つの透明又は半透明エリアとを備えてなり、前記発光モジュールから発した光を外部へ誘導するように設けられ、前記発光モジュールは、フルセットのＬＥＤランプで、独立して移動可能な独立したＬＥＤランプセットを備えてなり、前記ＬＥＤランプセットは、多種の異なるＬＥＤランプの配置を有するＬＥＤ表示光源と、前記ＬＥＤ表示光源の表示形式を制御するのに用いられ、無線遠隔制御ユニットを備えてなり、外部から携帯電話による遠隔制御で動作を行なわせるための制御ユニットと、前記ＬＥＤランプセットの動作に必要な電力を供給し、無線充電による持続的充電が行なわれるための充電式電池と、前記ＬＥＤランプセットの開閉に用いられるスイッチとを備えてなり、前記発光モジュールは更に、ランプ制御ＡＰＰを備えてなり、前記ランプ制御ＡＰＰを携帯電話にインストールすれば、前記ＬＥＤランプセットを無線で遠隔制御し、ＬＥＤランプセットの点灯形式、明るさ、頻度、色又は彩度の何れかの一つを制御することができることを特徴とする発光モジュール。
【０００８】
前記問題点を解決でき、上記目的を達成するために、本考案の発光モジュールを備えた光源ユニットは、フルセットのＬＥＤランプで、独立して移動可能な独立したＬＥＤランプセットを備えてなり、前記ＬＥＤランプセットは、多種の異なるＬＥＤランプの配置を有するＬＥＤ表示光源と、前記ＬＥＤ表示光源の表示形式を制御するのに用いられ、無線遠隔制御ユニットを備えてなり、外部から携帯電話による制御で動作を行なわせるための制御ユニットと、前記ＬＥＤランプセットの動作に必要な電力を供給するための充電式電池と、前記ＬＥＤランプセットの開閉に用いられるスイッチとを備えてなり、収納ユニットを備えてなる応用ユニットが備わり、前記収納ユニットは前記ＬＥＤランプセットを前記応用ユニット内に収められ、固定されるのに設けられ、前記応用ユニットは更に、少なくともの一つの透明又は半透明エリアと、少なくともの一つの導光部とを備えてなり、前記ＬＥＤランプセットから発した光を外部へ誘導するように設けられ、前記透明又は半透明エリアは、前記応用ユニットの本体であり、前記導光部は、前記収納ユニットと前記透明又は半透明エリアとの間をつなげるように設けられ、光線を収納ユニットから透明又は半透明エリアへ誘導させるための前誘導体であり、前記ＬＥＤランプセットが発光すると、光線が前記導光部に入射され、更に前記透明又は半透明エリアを通って、外部へ誘導されるように設けられるが、前記ＬＥＤランプセットは多種の異なる応用ユニットを組合せることができ、前記応用ユニットの収納ユニット内から簡単に取り出し又はそこから組み入れ可能な独立した形態で用いられることを特徴とする発光モジュールを備えた光源ユニット。
【０００９】
本考案は、発光モジュール及びそれを備えた光源ユニットを提供し、本考案の実施形態は、持ち歩き可能で、応用ユニットに固定されない取り付けで設けられ、いつでも異なるタイプの発光モジュールを使用することができるため、固定された光源を長時間使用して生じられる麻痺などの問題がないこと、それに、製造元は効果の異なる発光モジュールを開発することが可能で、時間が経つのに伴い、更に人の目を惹きつけられる別の発光モジュールが開発され、ユーザは固定された表示形式に制限されず、もっと好きな発光モジュールがあったら、そのまま新しい発光モジュールを購入して交換できること、その上、無線充電可能なものであり、充電の時に発光モジュールだけを取り出して充電すればよく、各種の異なるタイプの無線充電器セットに対応可能であること、更に、携帯電話のＡＰＰでは、各種の制御を行なうことができることから、非常に使いやすく設けられることを特徴とする発光モジュール。
【００１０】
本考案の実施形態は、多種の異なる応用ユニットを組み合わせることが可能で、前記応用ユニット内から簡単に取り出し又はそこに組み入れ可能な独立した形態に設けられた発光モジュールであり、前記応用ユニットは少なくともの一つの導光部と、少なくともの一つの透明又は半透明エリアとを備えてなり、前記発光モジュールから発した光を外部へ誘導するように設けられ、前記発光モジュールは、フルセットのＬＥＤランプで、独立して移動可能な独立したＬＥＤランプセットを備えてなり、前記ＬＥＤランプセットは、多種の異なるＬＥＤランプの配置を有するＬＥＤ表示光源と、前記ＬＥＤ表示光源の表示形式を制御するのに用いられ、無線遠隔制御ユニットを備えてなり、外部から携帯電話による遠隔制御で動作を行なわせるための制御ユニットを備えてなることを特徴とする発光モジュール。
【図面の簡単な説明】
【００１１】
【図１】本考案の主要部品の構造を示すブロック図である。
【図２】本考案のＬＥＤランプセットの部品構造を示すブロック図である。
【図３】本考案の応用を示す模式図である。
【図４】本考案のスリッパに応用された場合の実施形態を示す模式図である。
【図５】本考案がカジュアルシューズに応用された場合の実施形態を示す模式図である。
【符号の説明】
【００１２】
１０      発光装置
１１      ＬＥＤランプセット
１２      制御ユニット
１３      充電式電池
１４      スイッチ
１５      無線充電モジュール
２０      ランプ制御ＡＰＰ
３０      応用ユニット
３１      収納ユニット
３２      透明又は半透明エリア
３３      導光部
４０      導光切込み部
１００    智慧型商品
１２１    無線遠隔制御ユニット
２００    靴
【考案を実施するための形態】
【００１３】
図１〜図５に示すのは、本考案の発光モジュール及びそれを備えた光源ユニットを表す例であり、前記発光モジュールは、多種の異なる応用ユニットを組み合わせることが可能で、前記応用ユニット内から簡単に取り出し又はそこに組み入れて用いられる独立した形態に設けられるが、前記応用ユニットは、少なくともの一つの導光部と、少なくともの一つの透明又は半透明エリアとを備えてなり、前記発光モジュールから発した光を外部へ誘導するように設けられ、前記発光モジュールは図２に示すように、フルセットＬＥＤランプで独立して移動可能な独立したＬＥＤランプセット１０を備えてなる。
【００１４】
前記ＬＥＤランプセット１０は、複数のＬＥＤを有し、多種の異なる配置を有するＬＥＤ表示光源１１と、前記ＬＥＤ表示光源１１の点灯形式、明るさ、頻度、光色、彩度などを含む表示方法を制御するのに用いられ、無線遠隔制御ユニット１２１を備えてなり、外部から携帯電話１００による遠隔制御で、それに関する動作を行なわせるための制御ユニット１２とを備えてなり、前記無線遠隔制御ユニット１２１は通常、携帯電話１００と通信するためのブルートゥース（登録商標）送受信機である。  
【００１５】
前記ＬＥＤランプセット１０の動作に必要な電力を供給し、無線充電による持続的充電が行なわれるための充電式電池１３とを備え、充電の利便性を図るように設けられ、前記充電式電池１３の好適的な実施形態は、安全性の高いフレキシブル型リチウムセラミック充電池であり、更に、エネルギーを受けて前記充電式電池１３を充電するための無線充電モジュールを備えてなるものである。
【００１６】
ＬＥＤランプセット１０の開閉に用いられるスイッチ１４とを備えてなり、前記スイッチは、薄型で省スペースのタッチスイッチであり、ユーザは前記スイッチ１４を用いて、前記ＬＥＤランプセット１０をオン・オフすることができる。
【００１７】
図１に示すように、本考案の実施形態の発光モジュールは、次のようなユニットを組み合わせて用いられるが、携帯電話１００に入れるランプ制御ＡＰＰ２０を備えてなり、ユーザは、前記ランプ制御ＡＰＰ２０を携帯電話１００にダウンロードすれば、前記ランプ制御ＡＰＰ２０で、前記ＬＥＤランプセット１０の表示形式、例えば、前記ＬＥＤ表示光源１１の開閉、点灯形式、明るさ、頻度、光色、彩度を無線で遠隔制御することができる。
【００１８】
前記応用ユニット３０内に前記ＬＥＤランプセット１０を収め、固定するための収納ユニット３１を備えてなる応用ユニット３０が備わり、前記応用ユニット３０は更に、少なくともの一つの透明又は半透明エリア３２と、少なくともの一つの導光部３３とを備えてなり、前記ＬＥＤランプセット１０から発した光を外部へ誘導するように設けられるが、実施形態として、前記透明又は半透明エリア３２は前記応用ユニット３０の本体であり、前記導光部３３は、前記収納ユニット３１と前記透明又は半透明エリア３２との間をつなげるように設けられ、即ち、光線が収納ユニット３１から透明又は半透明エリア３２へ誘導されるための前誘導体だと言える。ユーザが前記ＬＥＤランプセット１０を前記収納ユニット３１に入れ、前記ＬＥＤランプセット１０のスイッチをオンにすると、発された光線が前記導光部３３を通って、それから、導光部３３から前記透明又は半透明エリア３２内に入射して、外部へと誘導されるように設けられる。
【００１９】
前記ＬＥＤランプセット１０は、多種の異なる応用ユニット３０を組み合わせることが可能で、前記応用ユニット３０の収納ユニット３１内から簡単に取り出し又はそこに組み入れて用いられる独立した形態に設けられる。  
【００２０】
図３に示すのは、本考案の実施形態の応用を示す模式図であり、前記応用ユニット３０は靴２００であり、前記靴２００の靴底内には切込み部４０が設けられ、即ち、前記ＬＥＤランプセット１０を収めるために、前記収納ユニット３１は前記靴底の片側に設けられ、前記導光部３３は、前記切込み部４０周囲の透光壁面で、即ち入射面であり、前記透明又は半透明エリア３２は則是前記靴２００的透光の靴底本体であり、前記透光靴底本体の外縁部は、光線が最後に集光・発光する放射面に設けられる。ユーザは使用の時、前記ＬＥＤランプセット１０を切込み部４０に入れ、携帯電話１００のランプ制御ＡＰＰ２０で、ＬＥＤランプセット１０のスイッチをオンにすると、発された光線が前記導光部３３を通って、前記透明又は半透明エリア３２に入射されるようになり、ユーザが携帯電話１００のランプ制御ＡＰＰ２０を用いて、光源の表示形式、例えば点灯形式、明るさ、頻度、光色、彩度などを制御することができる。  
【００２１】
図４と図５に示すように、前記切込み部４０は、前記靴２００の靴底内に設けられるが、靴底の底部に設けられてもよく、図４の靴２００はスリッパで、図５の靴２００はカジュアルシューズであり、前記靴２００の靴底は応用ユニット３０であり、その内部に設けられる切込み部４０は収納ユニット３１であり、前記発光装置１０を収めるのに用いられ、前記導光部３３は切込み部４０周囲の入射面であり、前記透明又は半透明エリア３２はＰＵ，ＴＰＲ，ＴＰＵで作られた透光の靴底であり、前記ＬＥＤランプセット１０は、切込み部４０内から簡単に取り出し又はそこに組み入れ可能で、ユーザのニーズに応じて、いつでも履く靴２００内に入れ替えられることができる。ＬＥＤランプセット１０が切込み部４０内で発光すると、光線が周りの導光部３３に入射され、透明又は半透明エリア３２を通って、周囲又は外縁部へと誘導されるように設けられることで、周囲又は外縁部が明るく集光する放射面になる。  
【００２２】
本考案は次のような長所があり、発光モジュールは、持ち歩き可能な独立した形態で、応用ユニット例えば靴底、照明器具の基台、ケースの基台及びその他の独立した形態に固定されることなく取り付けられ、発光モジュールが各種の異なる応用ユニット内に収められ、適用範囲が広いこと、ユーザは好きなように異なるタイプ発光モジュールに変更可能で、固定された発光モジュールの光源を長時間使用して生じられる麻痺などの問題がないこと、光源が収納ユニットを中心として外部に誘導され、透明又は半透明エリアを経て、周囲に届くように設けられ、靴底の周囲全体は、明るく集光・放射するところで、既有発光靴のように複数のＬＥＤが靴底の周囲に設けられ、靴底の周囲に複数個所から発光するが、点と点の間の発光量が弱く不足することがないこと、発光モジュールは無線充電モードで充電可能で、充電の時に発光モジュールだけを取り出して充電すればよく、各種の異なるタイプの無線充電器セットに対応可能で、別途に専用充電器セットを開発する必要がないこと、本考案の応用の携帯電話ＡＰＰで各種の制御を行なえることから、非常に使いやすいこと。
【００２３】
上述した内容をまとめると、本考案は、実施形態のようなやさしいヒューマンデザインで、実際のニーズに一致し、既存欠点を改善することができるもので、背景技術に対して、明らかに顕著かつ画期的な進歩性があるという長所を有するもので、その確実な改良効果が簡単に達成することができないことから、特許法の規定に一致するものである。  
【００２４】
上述したのは本考案に関する具体的な説明であり、それを以って請求範囲を制限してはならないとし、本考案の要旨を逸脱せず行なわれた実施や変更を行なって、それと同じ効果を得ても、全て本考案の請求範囲に含まれるものとする。
【図１】
0003226374.tif 000003
【図２】
0003226374.tif 000004
【図３】
0003226374.tif 000005
【図４】
0003226374.tif 000006
【図５】
0003226374.tif 000007